(57)【要約】      （修正有）【課題】開閉ボタンのロックオンが十分で安全性に優れ、ロック解放時ロックボタンと開閉ボタンの指押圧部との間が広くとれて、指が入り易く、操作をスムーズに行う事ができると共に側面視からみてもスッキリとしたデザインの携帯用飲料容器を提供する。【解決手段】ロックボタン８ａには、肩部材４前面の前方左側壁４ａ及び前方右側壁４ｂの表面を摺動する左側壁部１８ａ、右側壁部１８ｂと開閉ボタン７ａの指押圧部１７前面に被さる前面壁部１８ｃとが一体的に形成されたマスク形状にして、ロックボタンのロックボタン用軸ピン８ｂの位置が軸ピン７ｂの位置よりも上方斜後側に配設されている構成としている。【選択図】図６
0003187745.tif 000002
【実用新案登録請求の範囲】
【請求項１】
金属製真空二重瓶の容器本体（１ａ）の口元外周には筒状の肩部材（４）が螺着され、この肩部材（４）の内側には容器本体（１ａ）内と外部とを通す注出口（５）が一体成形され、この注出口を開閉可能とする蓋体（６）が設けられ、肩部材（４）の前面には、間隔の開いた左右両側に前方に突出した前方左側壁（４ａ）と前方右側壁（４ｂ）とを設け、この前方左側壁（４ａ）、前方右側壁（４ａ）間に蓋体（６）を開閉操作させる開閉操作部材（７）と、開閉操作部材（７）の操作をロックするロック部材（８）とが設けられ、開閉操作部材（７）には、下部前壁を指押圧部（１７）とし、上部内側壁に蓋体（６）を係合する係合爪（１６）が備えられた開閉ボタン（７ａ）と、開閉ボタンを復帰させる開閉復帰バネ（７ｃ）と、開閉ボタン（７ａ）を肩部材（４）の前面に揺動自在に枢支する軸ピン（７ｂ）とが設けられ、ロック操作部材（８）には、開閉ボタン（７ａ）の指押圧部（１７）前面を跨ぐロックボタン（８ａ）と、ロックボタン（８ａ）を肩部材（４）の前面に揺動自在に枢支するロックボタン用軸ピン（８ｂ）とが設けられ、容器本体（１ａ）内の飲料を飲む際には、開閉ボタン（７ａ）のロックを解除して開閉ボタンを操作し、蓋体（６）を注出口（５）より開放してなる携帯用飲料容器（１）に於いて、
上記ロックボタン（８ａ）には、肩部材（４）前面の前方左側壁（４ａ）及び前方右側壁（４ｂ）の表面を摺動する左側壁部（１８ａ）、右側壁部（１８ｂ）と開閉ボタン（７ａ）の指押圧部（１７）前面に被さる前面壁部（１８ｃ）とが一体的に形成されたマスク形状にして、ロックボタンのロックボタン用軸ピン（８ｂ）の位置が軸ピン（７ｂ）の位置よりも上方斜後側に配設されていることを特徴とした携帯用飲料容器。
【考案の詳細な説明】
【技術分野】
【０００１】
本考案は、注出口を傾けて直飲み、又はコップ等に注いで飲む携帯用飲料容器に関するものである。
【背景技術】
【０００２】
従来、携帯用飲料容器としては、容器本体の口元外側に肩部材を螺着し、この肩部材の内側に容器本体内と連通する注出口を設け、この注出口を開閉可能とする蓋体を設けており、特にこの蓋体の開閉構造では、肩部材の前面に蓋体を開閉操作する開閉ボタンと、開閉ボタンの操作をロック可能とするロックボタンとを設け、開閉ボタンの上部内側壁に蓋体を係合する係合爪を備え、下部前壁を指押圧部とし、ロックボタンが開閉ボタンの指押圧部前面を覆うようにして、使用時には、ロックボタンを押し上げて開閉ボタンの指押圧部前面を開放して押圧可能とした携帯用飲料容器が実用新案登録第３１６４２０５号公報（特許文献１、図６参照）として存在する。
【先行技術文献】
【特許文献】
【０００３】
【特許文献１】実用新案登録第３１６４２０５号公報（特許文献１、図６参照）
【０００４】
以下、実用新案登録第３１６４２０５号公報の図６により従来の携帯用飲料容器について説明する。
この携帯用飲料容器、特にその蓋体の開閉構造は、蓋体の前方内側壁に開閉ボタンの係合爪に係脱可能な係止爪を備えており、開閉ボタンの係合爪と蓋体の係止爪とが係合して肩部材の注出口を蓋体にて閉鎖している。この閉鎖状態では、開閉ボタンの指押圧部前面を覆うようにロックボタンが被さっており、開閉ボタンを操作することはできない。又、ロックボタンを開閉ボタンの指押圧部前面より押し上げて、開閉ボタンの指押圧部を開放すれば、開閉ボタンの操作が可能となり、開閉ボタンの指押圧部を押圧すれば、復帰バネを収縮させながら開閉ボタンの係合爪と蓋体の係止爪とが離脱するという構造である。
【考案の概要】
【考案が解決しようとする課題】
【０００５】
ところが、このような構成によれば、ロックボタンのロックボタン用軸ピンが、軸ピンと復帰バネとの間に配置されているために、ロックボタンを操作してロックボタンを押し上げ、開閉ボタンの指押圧部前面を開放しても、ロックボタンの前面壁との間には、指を差し入れるに十分な空間が確保できず、指が指押圧部にタッチし難いという問題点があった。
【０００６】
又、開閉ボタンの指押圧部前面をロックボタンにて閉鎖しても、指押圧部全体が十分閉鎖されず、指押圧部上方が開き、この指押圧部上方に指がかかると、ロックボタンがロックされているにもかかわらず、開閉ボタンの係合片が揺動しやすく、蓋体の係止爪との係合がはずれやすくなって、安全性が確保されず、不安定であるという問題点があった。
更に、ロックボタンをロックした状態では、肩部材の前方左右側壁の目視によれば、常に開閉ボタンの軸ピンが目視され、デザイン的にもスッキリとしたものではないという問題点があった。
【課題を解決するための手段】
【０００７】
本考案は、金属製真空二重瓶の容器本体１ａの口元外周には筒状の肩部材４が螺着され、この肩部材４の内側には容器本体１ａ内と外部とを通す注出口５が一体成形され、この注出口を開閉可能とする蓋体６が設けられ、肩部材４の前面には、間隔の開いた左右両側に前方に突出した前方左側壁４ａと前方右側壁４ｂとを設け、この前方左側壁４ａ、前方右側壁４ａ間に蓋体６を開閉操作させる開閉操作部材７と、開閉操作部材７の操作をロックするロック部材８とが設けられ、開閉操作部材７には、下部前壁を指押圧部１７とし、上部内側壁に蓋体６を係合する係合爪１６が備えられた開閉ボタン７ａと、開閉ボタンを復帰させる開閉復帰バネ７ｃと、開閉ボタン７ａを肩部材４の前面に揺動自在に枢支する軸ピン７ｂとが設けられ、ロック操作部材８には、開閉ボタン７ａの指押圧部１７前面を跨ぐロックボタン８ａと、ロックボタン８ａを肩部材４の前面に揺動自在に枢支するロックボタン用軸ピン８ｂとが設けられ、容器本体１ａ内の飲料を飲む際には、開閉ボタン７ａのロックを解除して開閉ボタンを操作し、蓋体６を注出口５より開放してなる携帯用飲料容器１に於いて、上記ロックボタン８ａには、肩部材４前面の前方左側壁４ａ及び前方右側壁４ｂの表面を摺動する左側壁部１８ａ、右側壁部１８ｂと開閉ボタン７ａの指押圧部１７前面に被さる前面壁部１８ｃとが一体的に形成されたマスク形状にして、ロックボタンのロックボタン用軸ピン８ｂの位置が軸ピン７ｂの位置よりも上方斜後側に配設されている構成としている。
【考案の効果】
【０００８】
本考案は、従来の問題点を解決したものであって、開閉ボタンのロックオンが十分で安全性に優れ、ロック解放時ロックボタンと開閉ボタンの指押圧部との間が広くとれて、指が入り易く、操作をスムーズに行う事ができると共に側面視からみてもスッキリとしたデザインにすることができる携帯用飲料容器を提供するにある。
【図面の簡単な説明】
【０００９】
【図１】本考案実施例の正面図。
【図２】本考案実施例の右側面。
【図３】本考案実施例の縦断面図。
【図４】図３の上部拡大図。
【図５】本考案実施例の蓋部材を開放した状態の縦断面図。
【図６】本考案実施例の蓋部材を開放した状態を示す一部分解斜視図。
【考案を実施するための形態】
【００１０】
携帯用飲料容器１は、内、外筒２，３間を真空引きした容器本体１ａと、容器本体１ａの口元に装着し、容器本体１ａ内と連通した注出口５を備える筒状の肩部材４と、肩部材に枢支して注出口５を開閉する蓋体６と、蓋体６を係合する開閉操作部材７と、開閉操作部材７の開閉ボタン７ａをロックするロック部材８とから構成されている。
【００１１】
容器本体１ａの内筒２は、図３及び図４に示すように、ステンレス等の金属材料にて有底筒状に形成されており、この内筒２には内筒胴部２ａと、この内筒胴部２ａの上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。
【００１２】
容器本体１ａの外筒３は、図３及び図４に示すように、ステンレス等の金属材料にて筒状に形成されており、この外筒３には、内筒２と間隔を隔てて内筒胴部２ａを囲む外筒胴部３ａと、この外筒胴部３ａの上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部２ａの底を囲む外筒３の底部と外筒胴部３ａとは、図３に示すように、同一材料にて別部材として結合されているが、底部と外筒胴部３ａとを同一部材で一体化に形成しても何ら支障をきたすものではない。
【００１３】
外筒３の外筒小径部の外側壁には、後述の肩部材４の雌ネジを螺着する雄ネジが刻設されている。
外筒３の口元接合部と内筒２の内筒垂直部の上端とは、重ね合わされて溶接され、容器本体１ａの口元とされており、この外筒３と内筒２との隙間は、真空とされている。
【００１４】
肩部材４は、内側には容器本体１ａ内と外部とを通す注出口５を設けて筒状に形成されており、前面の間隔を開けた両側に前方に突出する前方左側壁４ａと前方右側壁４ｂとを配設し、後方上部に後述の蓋体６を枢支する枢支部４ｃを設けている。
【００１５】
肩部材４の前方右側壁４ｂには、図６に示すように、後述の開閉ボタン７ａを枢支する軸ピン用の第１透孔９を穿設し、前方右側壁４ｂの外表面には、この第１透孔９よりも上方に後述のロックボタン８ａを枢支するロックボタン用軸ピン８ｂのための第２透孔１０が穿設され、この第２透孔１０の上方斜め後方で後述のロックボタン８ａの二つの上、下浅溝１１ａ、１１ｂ間を摺動させる小台座体１２と、第２透孔１０の下方斜め前方でロックボタン８ａの小突起体２０を摺動させる二つの上溝１３ａ、下溝１３ｂとが配設されている。
【００１６】
肩部材４の前方左側壁４ａには、前方右側壁４ｂと全く同様に前方右側壁４ｂと左右対称位置にそれぞれ第１透孔９、第２透孔１０が穿設され、前方左側壁４ａの外表面には、小台座体１２と、上溝１３ａ、下溝１３ｂとが配設されている。
筒状の肩部材４の下方内側壁には、図４及び図５に示すように、外筒３に螺着する雌ネジが刻設されている。
【００１７】
蓋体６には、蓋体を肩部材４の枢支部４ｃに枢支させる蓋体用軸ピン１４と、蓋体を復帰させる蓋体用バネとを備えている。
蓋体６には、図４及び図６に示すように、蓋体のほぼ中央内壁に下方に向けて垂下した円筒体部６ａが設けられ、この円筒体部６ａが肩部材４の注出口５に被さって、注出口を密に閉鎖するように配設されている。
【００１８】
この蓋体６には、図４及び図５に示すように、前方に後述の開閉ボタン７ａの係合爪１６に係合する係止爪１５が設けられている。
この蓋体６では、 蓋体の前方上部を押し下げれば、係止爪１５が開閉ボタン７ａの係合爪１６に係合されて、肩部材４の注出口５が閉鎖されることとなる。
【００１９】
開閉操作部材７は、蓋体６を開閉する開閉ボタン７ａと、この開閉ボタンを枢支する軸ピン７ｂと、開閉ボタンを元の位置に復帰させる開閉復帰バネ７ｃとからなっている。
この開閉ボタン７ａは、肩部材４の前方左、右側壁４ａ、４ｂ間に納められて、この間を軸ピン７ｂを介して前後自由に揺動できて、ほぼ縦板状に形成されている。
【００２０】
この開閉ボタン７ａは、縦板状のほぼ中央よりも下方後壁で肩部材４の前方左、右側壁４ａ、４ｂに設けた第１透孔９、９貫通の軸ピン７ｂを介して前後揺動自在に装着されている。
この縦板状の開閉ボタン７ａは、図４及び図６に示すように、枢支される軸ピン７ｂ位置よりも上部の内壁に蓋体６の係止爪１５と係合する係合爪１６を設け、軸ピン７ｂ位置よりも下部の前面壁を指押圧部１７としている。
この開閉ボタンの指押圧部１７後方には、開閉ボタンを元の位置に復帰させる開閉復帰バネ７ｃが指押圧部１７後壁と肩部材４の前方左、右側壁４ａ、４ｂ間である中央前壁の間に張設されている。
【００２１】
ロック部材８は、図５及び図６に示すように、開閉ボタンの指押圧部１７前面を覆うロックボタン８ａと、このロックボタンを枢支するロックボタン用軸ピン８ｂとからなっている。
このロックボタン８ａには、図６に示すように、肩部材４の前方左、右側壁４ａ、４ｂの外側表面の一部を覆うような左側壁部１８ａ、右側壁部１８ｂと、開閉ボタンの指押圧部１７前面を覆うような前面壁部１８ｃとが一体的に形成されてほぼマスク形状となっている。
【００２２】
このロックボタン８ａの左側壁部１８ａの内面壁には、ロックボタン用軸ピン８ｂのための第２透孔１０と連通する第３透孔１９と、この第３透孔の上方斜後方に肩部材４の小台座体１２を摺動して保持させる上浅溝１１ａと下浅溝１１ｂとが配設され、第３透孔の下方斜前方に肩部材４の上溝１３ａ及び下溝１３ｂ間を摺動する小突起体２０が設けられている。
又、このロックボタン８ａの右側壁部１８ｂの内面壁には、左側壁部１８ａの内面壁と全く同様に左側壁部と左右対称位置に、それぞれ第３透孔１９、上浅溝１１ａ、下浅溝１１ｂ及び小突起体２０が設けられている。
【００２３】
ロックボタン用軸ピン８ｂは、ロックボタン８ａが開閉ボタン７ａの指押圧部１７前面を覆った状態にセットされ、肩部材４の左右の第２透孔１０、１０とロックボタン８ａの左右の第３透孔１９、１９とが全て合致した時点で、ロックボタンの左側又は右側より第３透孔１９、第２透孔１０を貫通、肩部材４の前方左、右側壁４ａ、４ｂ間に挿通されて、ロックボタン８ａを肩部材４の前方左、右側壁４ａ、４ｂ外側に枢支している。
【００２４】
このロックボタン用軸ピン８ｂには、図４乃至図６に示すように、開閉ボタン７ａを枢支する軸ピン７ｂの位置よりも上方斜後側に配置されて、ロックボタン８ａが開閉ボタン７ａの指押圧部１７を大きく覆い、かつロックボタンを押し上げた際にも、開閉ボタンの指押圧部１７前面を大きく開放するようにして、指を容易に指押圧部に入りやすくしている。
更に、ロックボタン８ａの左側壁部１８ａ、右側壁部１８ｂが開閉ボタン７ａを枢支する軸ピン７ｂの位置よりも上方斜後側より大きく張り出すこととなるために、側面視で肩部材４の前方左、右側壁４ａ、４ｂに目視される軸ピン７ｂとそれに伴う第１透孔９とがロックボタン８ａの左側壁部１８ａ、右側壁部１８ｂにてそれぞれ隠されることとにり、デザイン的にもスッキリした効果をもたらすこととなる。
【００２５】
従って、ロックボタン８ａが開閉ボタン７ａの指押圧部１７前面にあって、開閉ボタン７ａの操作を不能としている場合即ち、ロックオンの場合には、
ロックボタン８ａの小突起体２０が肩部材４の下溝１３ｂ内に配置され、肩部材の小台座体１２がロックボタンの下浅溝１１ｂ内に配置されて、ロックボタン８ａが肩部材の前方左、右側壁４ａ、４ｂ外側間に保持されている。
【００２６】
次に、ロックボタン８ａ前面壁部１８ｃを押し上げて開閉ボタンの指押圧部１７前面を開放した状態では、即ち、ロックオンの場合、ロックボタン８ａの小突起体２０が肩部材４の上溝１３ａ内に移動され、肩部材の小台座体１２がロックボタンの上浅溝１１ａ内に配置されて、ロックボタンが開閉ボタンの指押圧部１７より押し上がった状態に維持されている。
【００２７】
このようにして、ロックボタン８ａの小突起体２０及び肩部材４の小台座体１２が、各溝にそれぞれ移動される際には、接触による音が発生することとなって、ロックボタンのロックオン、オフの操作が音にて示され、目の不自由な人にも容易に使用することができる。
【００２８】
このようにして、ロックボタン８ａが開閉ボタン７ａの指押圧部１７前面より押し上げられなければ、開閉ボタン７ａを操作することができないために、蓋体６を開放することは全くできない。従って、持ち運び時、又は落下時に於いてもロックボタンの操作は不能で、万一ロックボタンが押し上げられたとしても、指押圧部前面を押さない限り蓋体を開放できないために、蓋体の開閉を極めて確実に行うことができる。
【００２９】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００３０】
１…携帯用飲料容器
１ａ…容器本体
２…内筒
２ａ…内筒胴部
３…外筒
３ａ…外筒胴部
４…肩部材
４ａ…前方左側壁
４ｂ…前方右側壁
４ｃ…枢支部
５…注出口
６…蓋体
６ａ…円筒体部
７…開閉操作部材
７ａ…開閉ボタン
７ｂ…軸ピン
７ｃ…開閉復帰バネ
８…ロック部材
８ａ…ロックボタン
８ｂ…ロックボタン用軸ピン
９、９…第１透孔
１０，１０…第２透孔
１５…係止爪
１６…係合爪
１７…指押圧部
１８ａ…左側壁部
１８ｂ…右側壁部
１８ｃ…前面壁部
１９…第３透孔
【図１】
0003187745.tif 000003
【図２】
0003187745.tif 000004
【図３】
0003187745.tif 000005
【図４】
0003187745.tif 000006
【図５】
0003187745.tif 000007
【図６】
0003187745.tif 000008